(57)【要約】【課題】簡便な構造で、温度センサーを設置位置に安定的に固定でき、且つ、据付作業の効率を高める温度センサー固定装置及びこれを備えた空気調和機を提供する。【解決手段】本発明における温度センサー固定装置は、温度センサー４０を収容するためのセンサーホルダー３０と、センサーホルダー３０に温度センサー４０を固定するために前記センサーホルダー３０に挿入される固定部材５０と、を含み、固定部材５０は、固定部材５０が挿入方向に前記センサーホルダー３０から脱落することを防止する第１係止部６０と、温度センサー４０をセンサーホルダー３０に押し付ける密着部７０と、センサーホルダー３０に挿入されるときに弾性的に変形され、センサーホルダー３０から突出されるときに元の状態に弾性的に復元されることによって、前記固定部材５０が挿入方向の逆方向に前記センサーホルダー３０から脱落することを防止する第２係止部８０と、を含んでいる。【選択図】図１
2008020175.tif 000002
【特許請求の範囲】
【請求項１】
温度センサーを収容するためのセンサーホルダーと、前記センサーホルダーに前記温度センサーを固定するために前記センサーホルダーに挿入される固定部材と、を含む温度センサー固定装置であって、
前記固定部材は、前記固定部材が挿入方向に前記センサーホルダーから脱落することを防止する第１係止部と、前記温度センサーを前記センサーホルダーに押し付ける密着部と、前記センサーホルダーに挿入されるときに弾性的に変形され、前記センサーホルダーから突出されるときに元の状態に弾性的に復元されることによって、前記固定部材が挿入方向の逆方向に前記センサーホルダーから脱落することを防止する第２係止部と、を含むことを特徴とする温度センサー固定装置。
【請求項２】
前記固定部材は、プレートから成り、
前記第２係止部は、前記プレートと一体に形成された固定端と、前記プレートの一部が切開されて弾性的に変形される自由端と、を有する弾性片を備えており、
前記弾性片は、前記プレートに対して所定角度を有して折り曲げられることを特徴とする請求項１に記載の温度センサー固定装置。
【請求項３】
前記第１係止部の一端から前記自由端までの長さは、前記センサーホルダーの長さより長く形成されることを特徴とする請求項２に記載の温度センサー固定装置。
【請求項４】
前記センサーホルダーは、前記自由端が前記センサーホルダーの端部を通過する前に前記弾性片が元の状態に弾性的に復元され、前記自由端が前記センサーホルダーの外側面から外側に突出されるように、前記センサーホルダーの端部が所定長さだけ切開されて形成された通過孔を備えることを特徴とする請求項２に記載の温度センサー固定装置。
【請求項５】
前記第１係止部には、前記固定部材を前記センサーホルダーの円周方向に回転させるための取っ手部が形成されたことを特徴とする請求項４に記載の温度センサー固定装置。
【請求項６】
前記密着部は、前記プレートの中央部の一側が凸状に折り曲げられて形成されたことを特徴とする請求項１に記載の温度センサー固定装置。
【請求項７】
前記センサーホルダーは、所定の直径を有する円筒部と、前記円筒部の一端から外側に広がるフレアー部と、を備えており、
前記第１係止部は、前記フレアー部が収容される空間をなす少なくとも一つの折曲部を備えており、
前記少なくとも一つの折曲部のうち少なくとも一つは、前記フレアー部が前記空間に収容されたとき、前記円筒部の外側面に圧力を加えることを特徴とする請求項１に記載の温度センサー固定装置。
【請求項８】
前記温度センサーは、感知部材と、前記感知部材に連結される電線と、を備えており、
前記第１係止部は、前記電線を通過させるための開口部を有する環状部材と、前記温度センサーの一部を収容する収容部と、を備えることによって、前記温度センサーが前記センサーホルダーに挿入されたとき、前記センサーホルダーから前記温度センサーが脱落することを防止することを特徴とする請求項１に記載の温度センサー固定装置。
【請求項９】
前記温度センサーは、前記感知部材の一部を取り囲む本体部と、前記電線を取り囲んで前記本体部に対して段差を有する端部と、を含む保護部材を備えており、
前記保護部材の端部が前記収容部に収容されて固定されることを特徴とする請求項８に記載の温度センサー固定装置。
【請求項１０】
温度センサーを収容するために冷媒管と一体に結合されるセンサーホルダーと、前記センサーホルダーに前記温度センサーを固定するために前記センサーホルダーに挿入される固定部材と、を含み、
前記固定部材は、前記固定部材が挿入方向に前記センサーホルダーから脱落することを防止する第１係止部と、前記温度センサーを前記センサーホルダーに押し付ける密着部と、前記固定部材が挿入方向の逆方向に前記センサーホルダーから脱落することを防止する第２係止部と、を含むことを特徴とする温度センサー固定装置。
【請求項１１】
前記固定部材は、プレートからなり、前記第２係止部は、前記プレートの一端部が９０°以上に折り曲げられて形成された係止片を含むことを特徴とする請求項１０に記載の温度センサー固定装置。
【請求項１２】
温度センサーを収容するために冷媒管と一体に結合されるセンサーホルダーと、
前記温度センサーに設けられ、前記温度センサーが挿入方向に前記センサーホルダーから脱落することを防止する第１係止部と、
前記温度センサーと一体に形成され、前記温度センサーが挿入方向の逆方向に脱落することを防止する第２係止部と、を備えることを特徴とする温度センサー固定装置。
【請求項１３】
前記温度センサーは、感知部材と、前記感知部材に連結される電線と、前記感知部材の端部を取り囲む保護チューブと、を含み、
前記第１係止部は、前記温度センサーが前記センサーホルダーに挿入されたとき、前記保護チューブが前記センサーホルダーの端部に係止されて形成されることを特徴とする請求項１２に記載の温度センサー固定装置。
【請求項１４】
前記温度センサーには、その一端から延長された延長片が設けられ、
前記第２係止部は、前記温度センサーが前記センサーホルダーに挿入されたとき、前記延長片が前記センサーホルダーから突出され、前記センサーホルダーの外側面に押し付けるように折り曲げられて形成されることを特徴とする請求項１２に記載の温度センサー固定装置。
【請求項１５】
冷媒管と、前記冷媒管に温度センサーを設置するための温度センサー固定装置と、を含み、前記温度センサー固定装置は、前記冷媒管の外面と一体に結合されるセンサーホルダーと、前記センサーホルダーに挿入される固定部材と、を備えており、
前記固定部材は、前記固定部材が挿入方向に前記センサーホルダーから脱落することを防止する第１係止部と、前記第１係止部から延長されて折り曲げられ、前記温度センサーが前記センサーホルダーに押し付けるように弾性的に支持する密着部と、前記密着部から延長され、前記センサーホルダーに挿入されるときに弾性的に変形され、前記センサーホルダーから突出されるときに元の状態に弾性的に復元されることによって、前記固定部材が挿入方向の逆方向に前記センサーホルダーから脱落することを防止する弾性片を備える第２係止部と、を含むことを特徴とする空気調和機。
【請求項１６】
前記固定部材は、薄い厚さを有するプレートからなり、前記弾性片は、前記プレートと一体に形成された固定端と、前記プレートの一部が切開され、前記プレートに対して所定角度を有して折り曲げられて弾性的に変形される自由端と、を備えており、前記自由端は、前記第１係止部に向かう方向に形成されることを特徴とする請求項１５に記載の空気調和機。
【請求項１７】
センサーホルダーと、
前記センサーホルダーに収容され、一端から延長された電線を有する感知部材と、
前記感知部材を前記センサーホルダーに固定し、一端から延長された固定部を有し、前記感知部材の前記電線を収容する固定部材と、を含む温度センサーユニット。
【請求項１８】
前記固定部材の固定部は、前記電線を取り囲む環状部材と、前記環状部材の一部に形成される開口部と、を含み、前記電線は、前記開口部を通過して前記環状部材の内部に位置することを特徴とする請求項１７に記載の温度センサーユニット。
【請求項１９】
前記固定部材は、前記固定部材が前記センサーホルダーから脱落しないように、一端に形成される他の固定部をさらに含むことを特徴とする請求項１７に記載の温度センサーユニット。
【請求項２０】
円筒部と、前記円筒部の第１端に備わる端部と、前記円筒部の第２端に備わるフレアー部と、を有するセンサーホルダーと；
感知部材と、前記感知部材から延長される電線と、前記感知部材と前記電線との間に備わり、前記フレアー部の内部に配置される保護チューブと、を有する温度センサーと；
前記円筒部と前記感知部材との間に配置される密着部と、前記フレアー部を取り囲む第１固定部と、前記センサーホルダーの端部を取り囲む第２固定部と、を有する固定部材と；を含む温度センサー固定ユニット。
【発明の詳細な説明】
【技術分野】
【０００１】
本発明は、温度センサー固定装置及びこれを備えた空気調和機に関する。より詳しくは、温度センサーを設置位置に安定的に固定しかつ、簡単な構造を有する温度センサー固定装置、及びこれを備えた空気調和機に関する。
【背景技術】
【０００２】
一般的に、空気調和機は、圧縮機と、室外熱交換器と、膨脹バルブと、室内熱交換器と、前記各装置を連結して閉回路を形成する多数の冷媒管と、を備えて冷凍サイクルを成している。すなわち、空気調和機は、前記閉回路を循環する冷媒が室内熱交換器及び室外熱交換器で気化又は液化されるときの吸熱作用及び発熱作用を用いることによって、内部空間を冷房又は暖房させるための装置である。
【０００３】
上記のような空気調和機の冷凍サイクルを成す各装置は、室内温度と室内熱交換器及び室外熱交換器に流れる冷媒の温度を感知することによって、室内空間が所定の温度に維持されるように制御されるので、一部の冷媒管には、冷媒の温度を感知するための温度センサーが設置される。
【０００４】
温度センサーを冷媒管に設置するための従来の温度センサー固定装置の一例は、特許文献１に開示されている。
【０００５】
従来の温度センサー固定装置によると、冷媒管を取り囲む設置部と、温度センサーを取り囲む支持部とが一体に形成され、設置部の弾性を利用して温度センサー固定装置が冷媒管に固定される。
【０００６】
しかしながら、上記のような従来の温度センサー固定装置は、設置部の弾性力のみを利用して冷媒管に固定されることによって温度センサーを支持する構造を有する。そのため、圧縮機の作動によって発生する振動を持続的に受けると、設置部の弾性力が弱くなり、温度センサー固定装置が冷媒管から脱落するという問題点があった。
【０００７】
また、従来の温度センサー固定装置は複雑な形状を有するので、その製造が困難であった。
【０００８】
上記のような問題点を解決するために、更なる従来の温度センサー固定装置が導入されてきた。
【０００９】
前記温度センサー固定装置においては、固定部材をセンサーホルダーに挿入した後、固定部材がセンサーホルダーから脱落しないように、固定区域に設けられた取っ手の曲げ作業が必要となる。しかしながら、冷媒管が複雑に形成された場所においては、取っ手を曲げるための空間が狭いので、上記作業を実施することが困難であった。
【００１０】
また、従来の温度センサー固定装置においては、温度センサーを固定するための別途の固定部材が必要となるので、部品コストが大きく、温度センサーの据付作業効率も低下した。
【特許文献１】特開平７―２２５０６８号公報
【発明の開示】
【発明が解決しようとする課題】
【００１１】
本発明は、上記のような問題点を解決するために為されたものである。本発明の目的は、衝撃や振動が持続的に加えられる場合であっても、温度センサーを設置位置に安定的に固定できる温度センサー固定装置及びこれを備えた空気調和機を提供することにある。
【００１２】
本発明の他の目的は、単純な構造を有し、製造コストを低減可能な温度センサー固定装置及びこれを備えた空気調和機を提供することにある。
【００１３】
本発明の更に他の目的は、冷媒管が複雑に形成された場所においても、温度センサーを冷媒管に容易に設置できる温度センサー固定装置及びこれを備えた空気調和機を提供することにある。
【００１４】
本発明の更に他の目的は、別途の固定部材を必要とせず、温度センサーを設置位置に安定的に固定できる温度センサー固定装置及びこれを備えた空気調和機を提供することにある。
【課題を解決するための手段】
【００１５】
上記のような目的を達成するための本発明に係る温度センサー固定装置は、温度センサーを収容するためのセンサーホルダーと、前記センサーホルダーに前記温度センサーを固定するために前記センサーホルダーに挿入される固定部材と、を含み、前記固定部材は、前記固定部材が挿入方向に前記センサーホルダーから脱落することを防止する第１係止部と、前記温度センサーを前記センサーホルダーに押し付ける密着部と、前記センサーホルダーに挿入されるときに弾性的に変形され、前記センサーホルダーから突出されるときに元の状態に弾性的に復元されることによって、前記固定部材が挿入方向の逆方向に前記センサーホルダーから脱落することを防止する第２係止部と、を含むことを特徴とする。
【００１６】
また、前記固定部材は、プレートから成り、前記第２係止部は、前記プレートと一体に形成された固定端と、前記プレートの一部が切開されて弾性的に変形される自由端と、を有する弾性片を備えており、前記弾性片は、前記プレートに対して所定角度を有して折り曲げられることを特徴とする。
【００１７】
また、前記第１係止部の一端から前記自由端までの長さは、前記センサーホルダーの長さより長く形成されることを特徴とする。
【００１８】
また、前記センサーホルダーは、前記自由端が前記センサーホルダーの端部を通過する前に前記弾性片が元の状態に弾性的に復元され、前記自由端が前記センサーホルダーの外側面から外方に突出されるように、前記センサーホルダーの端部が所定長さだけ切開されて形成された通過孔を備えることを特徴とする。
【００１９】
また、前記第１係止部には、前記固定部材を前記センサーホルダーの円周方向に回転させるための取っ手部が形成されたことを特徴とする。
【００２０】
また、前記密着部は、前記プレートの中央部の一側が凸状に折り曲げられて形成されたことを特徴とする。
【００２１】
また、前記センサーホルダーは、所定の直径を有する円筒部と、前記円筒部の一端から外側に広がるフレアー部と、を備えており、前記第１係止部は、前記フレアー部が収容される空間を成す少なくとも一つの折曲部を備えており、前記少なくとも一つの折曲部のうち少なくとも一つの折曲部は、前記フレアー部が前記空間に収容されたとき、前記円筒部の外側面に圧力を加えることを特徴とする。
【００２２】
また、前記温度センサーは、感知部材と、該感知部材に連結される電線と、を備えており、前記第１係止部は、前記電線を通過させるための開口部を有する環状部材と、前記温度センサーの一部を収容する収容部と、を備えることによって、前記温度センサーが前記センサーホルダーに挿入されたとき、前記温度センサーが前記センサーホルダーから脱落することを防止することを特徴とする。
【００２３】
また、前記温度センサーは、前記感知部材の一部を取り囲む本体部と、前記電線を取り囲んで前記本体部に対して段差を有する端部と、を含む保護部材を備えており、前記保護部材の端部が前記収容部に収容されて固定されることを特徴とする。
【００２４】
また、本発明に係る温度センサー固定装置は、温度センサーを収容するために冷媒管と一体に結合されるセンサーホルダーと、前記センサーホルダーに前記温度センサーを固定するために前記センサーホルダーに挿入される固定部材と、を含み、前記固定部材は、前記固定部材が挿入方向に前記センサーホルダーから脱落することを防止する第１係止部と、前記温度センサーを前記センサーホルダーに押し付ける密着部と、前記固定部材が挿入方向の逆方向に前記センサーホルダーから脱落することを防止する第２係止部と、を含むことを特徴とする。
【００２５】
また、前記固定部材は、プレートから成り、前記第２係止部は、前記プレートの一端部が９０°以上に折り曲げられて形成された係止片を含むことを特徴とする。
【００２６】
また、本発明に係る温度センサー固定装置は、温度センサーを収容するために冷媒管と一体に結合されるセンサーホルダーと、前記温度センサーに設けられ、前記温度センサーが挿入方向に前記センサーホルダーから脱落することを防止する第１係止部と、前記温度センサーと一体に形成され、前記温度センサーが挿入方向の逆方向に脱落することを防止する第２係止部と、を備えることを特徴とする。
【００２７】
また、前記温度センサーは、感知部材と、前記感知部材に連結される電線と、前記感知部材の端部を取り囲む保護チューブと、を含み、前記第１係止部は、前記温度センサーが前記センサーホルダーに挿入されたとき、前記保護チューブが前記センサーホルダーの端部に係止されて形成されることを特徴とする。
【００２８】
また、前記温度センサーには、その一端から延長された延長片が設けられ、前記第２係止部は、前記温度センサーが前記センサーホルダーに挿入されたとき、前記延長片が前記センサーホルダーから突出され、前記センサーホルダーの外側面に押し付けるように折り曲げられて形成されることを特徴とする。
【００２９】
また、本発明に係る空気調和機は、冷媒管と、該冷媒管に温度センサーを設置するための温度センサー固定装置と、を含み、前記温度センサー固定装置は、前記冷媒管の外面と一体に結合されるセンサーホルダーと、該センサーホルダーに挿入される固定部材と、を備えており、該固定部材は、該固定部材が挿入方向に前記センサーホルダーから脱落することを防止する第１係止部と、該第１係止部から延長されて折り曲げられ、前記温度センサーが前記センサーホルダーに押し付けるように弾性的に支持される密着部と、前記密着部から延長され、前記センサーホルダーに挿入されるときに弾性的に変形され、前記センサーホルダーから突出されるときに元の状態に弾性的に復元されることによって、前記固定部材が挿入方向の逆方向に前記センサーホルダーから脱落することを防止する弾性片を備える第２係止部と、を含むことを特徴とする。
【００３０】
また、前記固定部材は、薄い厚さを有するプレートから成り、前記弾性片は、前記プレートと一体に形成された固定端と、前記プレートの一部が切開され、前記プレートに対して所定角度を有して折り曲げられて弾性的に変形される自由端と、を備えており、前記自由端は、前記第１係止部に向かう方向に形成されることを特徴とする。
【００３１】
また、本発明に係る温度センサーユニットは、センサーホルダーと、該センサーホルダーに収容され、一端から延長された電線を有する感知部材と、該感知部材を前記センサーホルダーに固定し、一端から延長された固定部を有し、前記感知部材の前記電線を収容する固定部材と、を含むことを特徴とする。
【００３２】
また、前記固定部材の固定部は、前記電線を取り囲む環状部材と、該環状部材の一部に形成される開口部と、を含み、前記電線は、該開口部を通過して前記環状部材の内部に位置することを特徴とする。
【００３３】
また、前記固定部材は、前記固定部材が前記センサーホルダーから脱落しないように、一端に形成される他の固定部をさらに含むことを特徴とする。
【００３４】
また、本発明に係る温度センサー固定ユニットは、円筒部と、該円筒部の第１端に備わる端部と、該円筒部の第２端に備わるフレアー部と、を有するセンサーホルダーと；感知部材と、該感知部材から延長される電線と、前記感知部材と前記電線との間に備わり、前記フレアー部の内部に配置される保護チューブと、を有する温度センサーと；前記円筒部と前記感知部材との間に配置される密着部と、前記フレアー部を取り囲む第１固定部と、前記センサーホルダーの端部を取り囲む第２固定部と、を有する固定部材と；を含むことを特徴とする。
【発明の効果】
【００３５】
本発明に係る温度センサー固定装置及びこれを備えた空気調和機によると、センサーホルダーが水平方向に冷媒管と一体に結合され、温度センサー及び固定部材がセンサーホルダーの内部に挿入され支持されるので、温度センサーを設置位置に一層安定的に固定できるという効果がある。
【００３６】
また、温度センサー固定装置の構造が単純になることによって、その製造コストが節減できるという効果がある。
【００３７】
また、作業空間の狭い場所においても温度センサーを冷媒管に容易に設置することができ、温度センサーの設置時における作業の効率を向上できるという効果がある。
【００３８】
また、別途の固定部材を必要とせず温度センサーを安定的に固定することができ、部品コストを節減できると共に、温度センサーの設置時における作業効率を高められるという効果を有している。
【発明を実施するための最良の形態】
【００３９】
以下、図面に基づいて本発明の好ましい実施の形態を詳細に説明する。
【００４０】
図１は、本発明の第１実施形態に係る温度センサー固定装置２０を示した分解斜視図である。
【００４１】
図１に示すように、本発明の第１実施形態に係る温度センサー固定装置２０は、温度を測定しようとする冷媒管１０（他の用途に用いられる配管でもある）に結合されるセンサーホルダー３０と、このセンサーホルダー３０に挿入される温度センサー４０がセンサーホルダー３０から脱落しないように、温度センサー４０を固定する固定部材５０と、を含む。
【００４２】
センサーホルダー３０は、所定の長さを有する略円筒状の管であり、溶接によって冷媒管１０と一体に結合される。もちろん、センサーホルダー３０は、溶接以外の方式で冷媒管１０に結合されることもある。
【００４３】
センサーホルダー３０は、温度センサー４０が冷媒管１０の内部を流れる流体の温度を測定できるように、冷媒管１０と同様に銅などの金属から成るが、本発明の目的とする作用を行う物質であれば、他の物質も用いられる。センサーホルダー３０は、端部３１ａと同等の直径を有する円筒部３１と、円筒部３１の一端から外側に広がるフレアー部３２と、を備えている。
【００４４】
フレアー部３２は、温度センサー４０及び固定部材５０がセンサーホルダー３０に挿入される方向を表示する機能をすると同時に、固定部材５０がセンサーホルダー３０に挿入されるとき、固定部材５０の一端部がフレアー部３２に係止されることによって、固定部材５０が挿入方向にさらに移動することを防止するストッパーとしての機能をする。
【００４５】
温度センサー４０は、センサーホルダー３０に挿入されており、冷媒の温度を感知する。温度センサー４０は、略円筒状に形成され、センサーホルダー３０を通して伝達される冷媒管１０の温度を感知する感知部材４１と、感知部材４１の端部を取り囲む保護チューブ４２と、保護チューブ４２を通して感知部材４１に連結される電線４３と、を備えている。
【００４６】
保護チューブ４２は、非伝導性材質から成るが、本発明の目的とする作用を行う物質であれば、他の物質も用いられる。保護チューブ４２は、感知部材４１の端部を取り囲む本体部４２ａと、電線４３を取り囲むように、前記本体部４２ａに対して段差を有する端部４２ｂと、を含む。ここで、保護チューブ４２の端部４２ｂは、電線４３を取り囲むことによって、保護チューブ４２内に水分が浸透することを防止する。
【００４７】
温度センサー４０と一緒にセンサーホルダー３０に挿入される固定部材５０は、薄い厚さを有する金属プレート５１からなり、弾性的な変形が可能である。
【００４８】
固定部材５０は、固定部材５０が挿入方向（以下、‘Ａ方向’という）にセンサーホルダー３０から脱落することを防止する第１係止部６０と、温度センサー４０をセンサーホルダー３０に押し付ける密着部７０と、固定部材５０が挿入方向の逆方向（以下、‘Ｂ方向’という）にセンサーホルダー３０から脱落することを防止する第２係止部８０と、を含む。
【００４９】
第１係止部６０は、センサーホルダー３０のフレアー部３２が挿入される空間６３をなすために、プレート５１が複数回折り曲げられて形成された複数個の折曲部６１，６２を備えている。第１折曲部６１は、空間６３の入口部６３ａの反対側において入口部６３ａが弾性的に広がるように支持し、第２折曲部６２は、第１折曲部６１から延長されることによって、プレート５１と一緒に入口部６３ａを形成してフレアー部３２を収容する。
【００５０】
密着部７０は、プレート５１の中央部の一側が凸状に折り曲げられて形成される。
【００５１】
第２係止部８０は、弾性片８１を含み、この弾性片８１は、固定部材５０がセンサーホルダー３０にＡ方向に挿入され、固定部材５０がセンサーホルダー３０に挿入された後、固定部材５０がセンサーホルダー３０からＢ方向に脱落しないように、Ａ方向とＢ方向との交差方向に弾性的に変形される。
【００５２】
弾性片８１は、プレート５１の一端部を除いた縁部が切開されることによって、プレート５１と一体に形成される。このプレート５１において、切開されていない一端部は固定端８１ａになり、切開された部分は、固定端８１ａを中心に弾性的に変形される自由端８１ｂになる。
【００５３】
このとき、自由端８１ｂは、端部３１ａがプレート５１と弾性片８１との間に挿入されるように、第１係止部６０に向かう方向に形成される。
【００５４】
この弾性片８１は、プレート５１に対して所定角度θを有して折り曲げられる。このとき、第１係止部６０の第１折曲部６１から自由端８１ｂまでの長さＬ１は、センサーホルダー３０の長さＬ２より長い。
【００５５】
一方、プレート５１の一端に、すなわち、弾性片８１からプレート５１の一端に向かって案内部８２が形成される。この案内部８２は、固定端８１ａから延長され、固定部材５０が温度センサー４０と一緒にセンサーホルダー３０に容易に挿入されるように、固定部材５０をセンサーホルダー３０の内部に案内する。
【００５６】
図２は、第１実施形態に従って、前記固定部材５０及び温度センサー４０がセンサーホルダー３０に挿入された状態を示す断面図である。
【００５７】
温度センサー４０をセンサーホルダー３０に挿入するために、固定部材５０の第１折曲部６１と保護チューブ４２の本体部４２ａとが同一線上に位置するように、感知部材４１を固定部材５０に押し付ける。その後、温度センサー４０及び固定部材５０をセンサーホルダー３０に挿入する。このとき、上述したように、温度センサー４０及び固定部材５０は、フレアー部３２を通してセンサーホルダー３０に挿入される。
【００５８】
温度センサー４０及び固定部材５０をセンサーホルダー３０の内側に押すと、温度センサー４０及び固定部材５０が案内部８２によって案内され、第２係止部８０がセンサーホルダー３０の内部に挿入される。第２係止部８０がセンサーホルダー３０の内部に挿入されると、自由端８１ｂがセンサーホルダー３０の内側面に押し付けられることによって、弾性片８１が固定端８１ａを中心に弾性的に変形され、密着部７０と第２係止部８０との間のプレート５１の一部も弾性的に変形される。
【００５９】
上記のような状態で、温度センサー４０及び固定部材５０をセンサーホルダー３０にさらに押し、温度センサー４０及び固定部材５０がセンサーホルダー３０に完全に挿入されると、自由端８１ｂが円筒部３１の端部３１ａを通過することによって、弾性片８１が固定端８１ａを中心に元の状態に弾性的に復元される。このように、弾性片８１が元の状態に弾性的に復元されると、自由端８１ｂが円筒部３１の外側面から外側に突出される。
【００６０】
一方、フレアー部３２は、入口部６３ａを通して第１係止部６０の空間６３に挿入される。フレアー部３２が入口部６３ａを通過するときは、第２折曲部６２が第１折曲部６１を中心に弾性的に変形されて入口部６３ａが広くなるので、フレアー部３２が入口部６３ａを通過できるようになる。また、フレアー部３２が入口部６３ａを通過した後、第２折曲部６２が再び元の状態に復元されることによって、入口部６３ａが狭くなると同時に、センサーホルダー３０の外側面に圧力を加えるようになる。従って、空間６３に挿入されたフレアー部３２は、空間６３から容易に脱落することはない。
【００６１】
一方、保護チューブ４２の本体部４２ａがフレアー部３２に係止されることによって、温度センサー４０がＡ方向にそれ以上移動しなくなる。また、密着部７０が温度センサー４０をセンサーホルダー３０の径方向に押すことによって、温度センサー４０がセンサーホルダー３０の内部に固定される。
【００６２】
上記のように、温度センサー４０及び固定部材５０がセンサーホルダー３０の内部に挿入されて固定された状態で、温度センサー４０及び固定部材５０に力が加えられると、固定部材５０はＢ方向に所定距離だけ移動する。しかし、固定部材５０がＢ方向に移動するとき、弾性片８１が円筒部３１の端部３１ａに係止されるので、固定部材５０及び温度センサー４０はセンサーホルダー３０から脱落されることはない。
【００６３】
第１実施形態では、センサーホルダー３０に同時に挿入される温度センサー４０及び固定部材５０を示した。しかし、温度センサー４０及び固定部材５０は、必ずしも同時にセンサーホルダー３０に挿入される必要はなく、温度センサー４０及び固定部材５０のうち何れか一つが先に挿入され、他の一つが後で挿入されてもよい。
【００６４】
図３は、本発明の第２実施形態に係る温度センサー固定装置を示す分解斜視図であり、第１実施形態に係る温度センサー固定装置と同一の構成には同一の符号を付与し、それに対する説明を省略する。
【００６５】
図３に示すように、温度センサー固定装置２０は、円筒部３１と、この円筒部３１に形成された通過孔３３と、を含むセンサーホルダー３０を備えている。通過孔３３は、所定長さを有し、円筒部３１の端部３１ａが切開されて形成される。
【００６６】
一方、固定部材５０がセンサーホルダー３０に完全に挿入されたとき、弾性片８１が通過孔３３を通して元の状態に弾性的に復元されるように、第２実施形態に係る固定部材５０の密着部７０と案内部８２との間の長さは、第１実施形態に係る固定部材５０の密着部７０と案内部８２との間の長さより短く形成される。
一方、第１係止部６０には、第２折曲部６２から延長された取っ手部６５が形成される。この取っ手部６５は、第２折曲部６２がプレート５１の面と交差する方向に延長された後、巻かれて形成される。このとき、自由端８１ｂが通過孔３３内に配置されるので、図３に示した固定部材５０の長さは、図１に示した固定部材５０より短いかそれと同一である。
【００６７】
図４は、第２実施形態において従って、温度センサー及び固定部材がセンサーホルダーに挿入される状態を示した断面図である。
【００６８】
温度センサー４０及び固定部材５０がセンサーホルダー３０に完全に挿入されると、図４に示すように、固定部材５０の弾性片８１が通過孔３３を通して元の状態に弾性的に復元されることによって、自由端８１ｂが円筒部３１の外側面から外方に突出される。
【００６９】
上記のような状態で、取っ手部６５をセンサーホルダー３０の円周方向に押すと、固定部材５０がセンサーホルダー３０の円周方向に回転することによって、弾性片８１が通過孔３３から分離され、その結果、円筒部３１の端部３１ａがプレート５１と弾性片８１との間に挟み込まれる。
【００７０】
上記のような状態では、固定部材５０がＡ及びＢ方向に移動することができないので、第２実施形態に係る温度センサー固定装置２０は、第１実施形態に係る温度センサー固定装置２０よりも温度センサー４０及び固定部材５０を一層安定的に固定できるようになる。
【００７１】
図５は、本発明の第３実施形態に係る温度センサー固定装置２０を示す分解斜視図であり、第１実施形態に係る温度センサー固定装置と同一の構成には同一の符号を付与し、それに対する説明を省略する。
【００７２】
図５に示すように、本発明の第３実施形態に係る温度センサー固定装置２０の第２係止部８０は、係止片８５を備えている。この係止片８５は、プレート５１の一端部が９０°以上に折り曲げられて形成される。
【００７３】
前記係止片８５は、プレート５１の一端を折り曲げるのみによって形成されるので、第１実施形態に係る温度センサー固定装置２０の弾性片８１よりも製作が容易であるという長所がある。
【００７４】
図６は、第３実施形態に係る温度センサー固定装置２０を用いて温度センサー４０が冷媒管１０に設置された状態を示す図である。
【００７５】
第３実施形態に係る温度センサー固定装置２０においては、固定部材５０に案内部８２が形成されていない。第３実施形態に係る係止片８５は、第１実施形態に係る弾性片８１よりも弾性的な変形が小さい。従って、第３実施形態に係る温度センサー固定装置２０を用いて温度センサー４０を冷媒管１０に設置するとき、固定部材５０をセンサーホルダー３０に挿入した後、温度センサー４０をセンサーホルダー３０に挿入することが好ましい。
【００７６】
図７は、本発明の第４実施形態に係る温度センサー固定装置２０を示す分解斜視図である。
【００７７】
図７に示すように、本発明の第４実施形態に係る温度センサー固定装置２０の第１係止部６０は、環状部材６６を含む。
【００７８】
環状部材６６は、温度センサー４０の電線４３を通過させるために形成される開口部６７と、保護チューブ４２の端部４２ｂが挿入される収容部６８と、を備えている。
【００７９】
このとき、保護チューブ４２の端部４２ｂが環状部材６６に挿入されるように、開口部６７の幅が電線４３の厚さより広く形成され、収容部６８の直径が保護チューブ４２の端部４２ｂの直径と略同一の大きさで形成されるか、又は僅かに小さく形成される。
【００８０】
以下、図７を参照して、第４実施形態に係る温度センサー固定装置２０にを用いて温度センサー４０を設置する過程を説明する。
【００８１】
温度センサー４０の電線４３が開口部６７を通じて収容部６８に至った後、Ｂ方向に電線４３を引っ張ると、保護チューブ４２の端部４２ｂが収容部６８に挿入され、これにより、温度センサー４０が環状部材６６に固定される。
【００８２】
また、温度センサー４０が環状部材６６に固定された状態では、温度センサー４０の感知部材４１が固定部材５０の密着部７０と接触した状態に維持される。
【００８３】
上記のように温度センサー４０が固定部材５０に固定された状態で固定部材５０をセンサーホルダー３０に挿入すると、図８に示すように、保護チューブ４２の本体部４２ａがセンサーホルダー３２のフレアー部３２に係止されることによって、温度センサー４０がＡ方向にそれ以上移動することができなくなる。さらには、密着部７０が温度センサー４０をセンサーホルダー３０の径方向に押すので、温度センサー４０がセンサーホルダー３０の内部に固定される。
【００８４】
一方、固定部材５０をセンサーホルダー３０に完全に挿入すると、弾性片８１が元の状態に復元されると共に、自由端８１ｂが円筒部３１の外側面より外方に突出される。従って、温度センサー４０及び固定部材５０のＢ方向への移動が制限される。
【００８５】
また、保護チューブ４２の本体部４２ａが環状部材６６に係止されることによって、温度センサー４０のＢ方向への移動が制限される。従って、温度センサー４０がセンサーホルダー３０から脱落することを防止できる。
【００８６】
第４実施形態に係る固定部材５０の第２係止部８０は、第１実施形態に係る固定部材の第２係止部と同一構成を示したが、第２実施形態に係る固定部材５０の第２係止部８０と同一に構成し、且つ、弾性片８１が通過する通過孔をセンサーホルダー３０に形成した場合には、温度センサー４０及び固定部材５０は、Ａ方向及びＢ方向の何れの方向にも移動することができなくなる。
【００８７】
以上、保護チューブ４２の本体部４２ａが環状部材６６に係止されることによって、温度センサー４０のＢ方向への移動が制限されることを説明したが、温度センサー４０に保護チューブが設けられていない場合には、感知部材４１が環状部材６６の収容部６８に収容されることによって、温度センサーのＢ方向への移動を制限する構成も可能である。
【００８８】
図９は、本発明の第５実施形態に係る温度センサー固定装置を示す分解斜視図である。
【００８９】
第５実施形態に係る温度センサー固定装置２０には、温度センサー４０と共にセンサーホルダー３０に挿入される別途の固定部材は備えられてはなく、その代替として、温度センサー４０の感知部材４１の一端から延長された延長片４５が設けられている。延長片４５は、容易に折り曲げられる薄いプレートから成る。この延長片４５は、鋳造などによって温度センサー４０の感知部材４１と一体に形成されることが好ましい。
【００９０】
図１０は、温度センサー４０がセンサーホルダー３０に挿入された状態を示す断面図である。
【００９１】
温度センサー４０がセンサーホルダー３０に挿入されると、感知部材４１の一端を取り囲む保護チューブ４２の本体部４２ａがセンサーホルダー３０のフレアー部３２に係止されることによって、温度センサー４０がその係止された位置からＡ方向にセンサーホルダー３０内で移動することができなくなり、その結果として、第１係止部６０が形成される。
【００９２】
一方、温度センサー４０がセンサーホルダー３０の内部に挿入されると、延長片４５の一部がセンサーホルダー３０の外方に突出する。
【００９３】
上記のように、センサーホルダー３０の外側から突出された延長片５０を円筒部の端部３１ａを中心に折り曲げることによって、延長片５０の折曲部をセンサーホルダー３０の外側面に押し付ける。その結果、図１０に示すように、温度センサー４０が挿入方向の逆方向にセンサーホルダー３０から脱落することを防止する第２係止部８０が形成される。
【００９４】
上記のように形成された温度センサー固定装置２０において、温度センサー４０をセンサーホルダー３０に挿入した後、延長片５０を折り曲げることによって温度センサー４０をセンサーホルダー３０に固定すると、温度センサー４０は、第１係止部６０によってセンサーホルダー３０から挿入方向に脱落することが防止され、第２係止部８０によってセンサーホルダー３０から挿入方向の逆方向に脱落することが防止される。
【００９５】
第５実施形態に係る温度センサー固定装置によると、別途の固定部材を必要とせずに、温度センサー４０を設置位置に安定的に固定できるようになる。
【００９６】
図１１は、上記のように構成された温度センサー固定装置２０が空気調和機の室外機１に設置された状態を示す。
【００９７】
図１１に示すように、空気調和機の室外機１には、ガス冷媒を高温高圧に圧縮させる圧縮機２と、圧縮された高温高圧のガス冷媒を凝縮させる凝縮器３と、凝縮器３が外部空気と熱交換されるように、凝縮器３に外部空気を強制的に送風させる送風ファン４と、圧縮機２と凝縮器３とを連結する多数の冷媒管１０と、が設置されている。
【００９８】
本発明に係る温度センサー固定装置２０は、温度を感知しようとする冷媒管１０に設置されることによって、温度センサー４０を安定的に固定する役割をする。もちろん、本発明に係る温度センサー固定装置２０は、空気調和機の他にも、温度を感知する必要がある他の装置にも設置されるし、その設置位置は、冷媒管のみならず、他の部品でもある。
【図面の簡単な説明】
【００９９】
【図１】本発明の第１実施形態に係る温度センサー固定装置を示す分解斜視図である。
【図２】図１の温度センサー固定装置において、温度センサー及び固定装置がセンサーホルダーに挿入された状態を示す断面図である。
【図３】本発明の第２実施形態に係る温度センサー固定装置を示す分解斜視図である。
【図４】図３の温度センサー固定装置において、温度センサー及び固定装置がセンサーホルダーに挿入された状態を示す断面図である。
【図５】本発明の第３実施形態に係る温度センサー固定装置を示す分解斜視図である。
【図６】図５の温度センサー固定装置において、温度センサー及び固定装置がセンサーホルダーに挿入された状態を示す断面図である。
【図７】本発明の第４実施形態に係る温度センサー固定装置を示す分解斜視図である。
【図８】図７の温度センサー固定装置において、温度センサー及び固定装置がセンサーホルダーに挿入された状態を示す断面図である。
【図９】本発明の第５実施形態に係る温度センサー固定装置を示す分解斜視図である。
【図１０】図９の温度センサー固定装置において、温度センサーがセンサーホルダーに挿入された状態を示す断面図である。
【図１１】本発明に係る温度センサー固定装置を備えた空気調和機の室外機を示す平面図である。
【符号の説明】
【０１００】
１０  冷媒管
２０  温度センサー固定装置
３０  センサーホルダー
３３  通過孔
４０  温度センサー
４１  感知部材
４２  保護チューブ
４５  延長片
５０  固定部材
５１  プレート
６０  第１係止部
６６  環状部材
７０  密着部
８０  第２係止部
８１  弾性片
【図１】
2008020175.tif 000003
【図２】
2008020175.tif 000004
【図３】
2008020175.tif 000005
【図４】
2008020175.tif 000006
【図５】
2008020175.tif 000007
【図６】
2008020175.tif 000008
【図７】
2008020175.tif 000009
【図８】
2008020175.tif 000010
【図９】
2008020175.tif 000011
【図１０】
2008020175.tif 000012
【図１１】
2008020175.tif 000013